(57)【要約】  車体下方側に配置された樹脂製のフロア（２２）と、フロア（２２）の車幅方向外側で車体上下方向に延在するように配置された樹脂製のピラー（７８）と、ピラー（７８）及びフロア（２２）よりも延性の高い材料で構成され、ピラー（７８）とフロア（２２）とを連結する連結部材（８０）と、を有する車体構造（１０）とする。これにより、ピラー（７８）とフロア（２２）との接合部分の耐荷重強度を確保する。
2013080340.tif 000002
【特許請求の範囲】
【請求項１】
車体下方側に配置された樹脂製のフロアと、
前記フロアの車幅方向外側で車体上下方向に延在するように配置された樹脂製のピラーと、
前記ピラー及び前記フロアよりも延性の高い材料で構成され、前記ピラーと前記フロアとを連結する連結部材と、
を有する車体構造。
【請求項２】
前記連結部材は、金属材料で構成されている請求項１に記載の車体構造。
【請求項３】
前記連結部材の車幅方向外側で、前記ピラーと前記フロアとの間に張設されたテンション部材を有する請求項１又は請求項２に記載の車体構造。
【請求項４】
前記連結部材の下端部側は、車幅方向内側へ延在されて前記フロアにボルト締結されるフロア締結部とされており、
前記フロア締結部は、車幅方向外側から荷重が入力されて車幅方向内側へ押圧されたときに、ボルトによって破断される脆弱部を有する請求項１〜請求項３の何れか１項に記載の車体構造。
【請求項５】
前記脆弱部は、ボルト挿通孔と該ボルト挿通孔の車幅方向外側に形成された貫通孔との間とされている請求項４に記載の車体構造。
【発明の詳細な説明】
【技術分野】
【０００１】
本発明は、車体構造に関する。
【背景技術】
【０００２】
車体を、各ピラーの中間から上側（ルーフを含む）の車体上部体と下側（フロアを含む）の車体下部体とに２分割し、車体上部体を樹脂材料で構成するとともに、車体下部体を金属材料で構成した車両の車体構造は、従来から知られている（例えば、特開２０１１−８８４９５号公報参照）。
【発明の概要】
【発明が解決しようとする課題】
【０００３】
このような車体構造において、更なる車両の軽量化を図るためには、車体下部体も樹脂材料で構成することが考えられる。しかしながら、この場合には、側面衝突時等、車幅方向外側から加えられる荷重に対して、車体上部体と車体下部体との接合部分における耐荷重強度を確保することが課題となる。【０００４】
そこで、本発明は、上記事情に鑑み、樹脂製ピラーと樹脂製フロアとの接合部分の耐荷重強度を確保できる車体構造を得ることを目的とする。
【課題を解決するための手段】
【０００５】
上記の目的を達成するために、本発明に係る第１の態様の車体構造は、車体下方側に配置された樹脂製のフロアと、前記フロアの車幅方向外側で車体上下方向に延在するように配置された樹脂製のピラーと、前記ピラー及び前記フロアよりも延性の高い材料で構成され、前記ピラーと前記フロアとを連結する連結部材と、を有する。【０００６】
第１の態様によれば、樹脂製ピラーと樹脂製フロアとを連結する連結部材は、樹脂製ピラー及び樹脂製フロアよりも延性の高い材料で構成されている。したがって、側面衝突時など、車幅方向外側から荷重が入力されると、その連結部材によって、エネルギー吸収がなされ、樹脂製ピラーと樹脂製フロアとの接合部分の破損が抑制又は防止される。つまり、これによれば、樹脂製ピラーと樹脂製フロアとの接合部分（連結部材）の耐荷重強度を確保することができる。【０００７】
また、本発明に係る第２の態様の車体構造は、第１の態様の車体構造であって、前記連結部材は、金属材料で構成されている。【０００８】
第２の態様によれば、連結部材が金属製であるため、その連結部材により、車幅方向外側から入力された荷重を効率よく吸収することができる。【０００９】
また、本発明に係る第３の態様の車体構造は、第１又は第２の態様の車体構造であって、前記連結部材の車幅方向外側で、前記ピラーと前記フロアとの間に張設されたテンション部材を有する。【００１０】
第３の態様によれば、連結部材の車幅方向外側におけるピラーとフロアとの間に、テンション部材が張設されているので、そのテンション部材により、ピラーの車幅方向内側への変形を抑制することができる。【００１１】
また、本発明に係る第４の態様の車体構造は、第１〜第３の何れかの態様の車体構造であって、前記連結部材の下端部側は、車幅方向内側へ延在されて前記フロアにボルト締結されるフロア締結部とされており、前記フロア締結部は、車幅方向外側から荷重が入力されて車幅方向内側へ押圧されたときに、ボルトによって破断される脆弱部を有する。【００１２】
第４の態様によれば、車幅方向外側から荷重が入力されてフロア締結部が車幅方向内側へ押圧されると、ボルトによって脆弱部が破断され、そのフロア締結部が車幅方向内側へスライドする。したがって、車幅方向外側から入力された荷重を効率よく吸収することができる。【００１３】
また、本発明に係る第５の態様の車体構造は、第４の態様の車体構造であって、前記脆弱部は、ボルト挿通孔と該ボルト挿通孔の車幅方向外側に形成された貫通孔との間とされている。【００１４】
第５の態様によれば、ボルト挿通孔の車幅方向外側に貫通孔を形成することで、脆弱部を形成することができる。つまり、これによれば、脆弱部を容易に形成することができる。
【発明の効果】
【００１５】
以上のように、本発明によれば、樹脂製ピラーと樹脂製フロアとの接合部分の耐荷重強度を確保することができる。
【図面の簡単な説明】
【００１６】
【図１】本実施形態に係る樹脂ボディ構造を有する自動車を示す概略側断面図である。
【図２】本実施形態に係る樹脂ボディ構造を有する自動車の下部側を示す斜視図である。
【図３】本実施形態に係る樹脂ボディ構造のフロア部の構成を示す斜視図である。
【図４】本実施形態に係る車体構造を示す斜視図である。
【図５】図４のＸ−Ｘ線矢視断面図である。
【図６】本実施形態に係る連結部材を示す斜視図である。
【図７】側面衝突前における本実施形態に係る車体構造を示す側断面図である。
【図８】側面衝突後における本実施形態に係る車体構造を示す側断面図である。
【図９】側面衝突後における本実施形態に係る車体構造を示す側断面図である。
【発明を実施するための形態】
【００１７】
以下、本発明に係る実施の形態について、図面を基に詳細に説明する。なお、図中に適宜記す矢印ＦＲは車体前後方向の前方向を、矢印ＵＰは車体上下方向の上方向を、矢印ＯＵＴは車幅方向外側をそれぞれ示す。また、以下の説明で、特記なく前後、上下の方向を用いる場合は、車体前後方向の前後、車体上下方向の上下を示すものとする。
【００１８】
図１で示すように、車両としての（電気）自動車Ｖには、本実施形態に係る車体構造としての樹脂ボディ構造１０が適用されている。この樹脂ボディ構造１０は、図１、図２、図４で示すように、アンダーボディ１２と、フロントサスペンションモジュール１４と、フロントエネルギー吸収部材（以下「フロントＥＡ部材」という）１６と、リアサスペンションモジュール１８と、リアエネルギー吸収部材（以下「リアＥＡ部材」という）２０と、サイドエネルギー吸収部材（以下「サイドＥＡ部材」という）６８と、センターピラー７８と、を主要部として構成されている。
【００１９】
（アンダーボディの構成）
樹脂製のアンダーボディ１２は、平面視で略矩形状とされたフロア部２２と、フロア部２２の前端から上向きに立設されたダッシュロア部２４と、フロア部２２の後端から上向きに立設されたロアバック部２６と、を含んで構成されている。ダッシュロア部２４及びロアバック部２６は、フロア部２２の略全幅に亘る長さを有しており、正面視では車幅方向が長手方向とされた略矩形状に構成されている。
【００２０】
また、図２、図３で示すように、ダッシュロア部２４の車幅方向両端からは、後向きに前側壁２８が延設されており、ロアバック部２６の車幅方向両端からは、前向きに後側壁３０が延設されている。前側壁２８及び後側壁３０は、それぞれの下端がフロア部２２（後述するロッカ３６）の車幅方向外端部に連続しており、かつ互いに前後に離間している。以上により、アンダーボディ１２は、全体としてバスタブ状（側壁の一部が切り欠かれたバスタブ状）に形成されている。
【００２１】
また、図１、図３で示すように、フロア部２２は、略水平面に沿って平坦な下壁３２を有している。そして、下壁３２の車幅方向両側からは、上向きに外側壁３４が立設されている。また、下壁３２の車体上方側には、それぞれ前後方向が長手方向とされた骨格構造としての左右一対のロッカ３６とセンター骨格形成部３８とが設けられている。
【００２２】
左右のロッカ３６は、下壁３２と、下壁３２と上下に対向する上壁４０と、外側壁３４と、外側壁３４と車幅方向に対向する内側壁４２とで、正断面視で矩形枠状の閉断面構造に構成されている。センター骨格形成部３８は、下壁３２と、下壁３２と上下に対向する上壁４４と、互いに対向する一対のセンター側壁４６とで、正断面視で矩形枠状の閉断面構造に構成されている。
【００２３】
なお、本実施形態では、上壁４０と上壁４４とは、下壁３２との対向間隔が異なるように構成されている。すなわち、左右のロッカ３６の方がセンター骨格形成部３８よりも高位となるように構成されている。
【００２４】
図１〜図３で示すように、ダッシュロア部２４は、閉断面構造とされて左右のロッカ３６及びセンター骨格形成部３８の前端部に架け渡されている。そして、ロアバック部２６は、閉断面構造とされて左右のロッカ３６及びセンター骨格形成部３８の後端部に架け渡されている。
【００２５】
具体的には、ダッシュロア部２４は、前後に対向する前壁４８及び後壁５０と、下壁３２に対向する上壁５２とを有して構成されている。すなわち、ダッシュロア部２４は、側断面視で、下壁３２と、前壁４８と、後壁５０と、上壁５２とで閉断面構造に構成されている。そして、本実施形態では、ダッシュロア部２４を構成する後壁５０の下部は、傾斜壁５０Ｓとされている。
【００２６】
傾斜壁５０Ｓは、前端側より後端側が下方に位置するように前後（水平）方向に対して傾斜されており、その前上端は後壁５０の上下方向に略沿った上下壁５０Ｖの下端に連続されている。そして、傾斜壁５０Ｓの前上端（上下壁５０Ｖとの境界部）の上下方向の位置は、側面視において、フロントＥＡ部材１６の中心線（図心を通る線）ＣＬの上下方向の位置に略一致されている。
【００２７】
一方、傾斜壁５０Ｓの後下端は、フロア部２２におけるロッカ３６及びセンター骨格形成部３８の形成部位では、下壁３２と対向する上壁４０、４４に連続されている。また、傾斜壁５０Ｓの後下端は、フロア部２２におけるロッカ３６及びセンター骨格形成部３８の非形成部位では、下壁３２に接合される上フランジ１２ＵＦ（後述）に連続されている。
【００２８】
また、ロアバック部２６は、前後に対向する後壁５４及び前壁５６と、下壁３２に対向する上壁５８とを有して構成されている。すなわち、ロアバック部２６は、下壁３２と、後壁５４と、前壁５６と、上壁５８とで側断面視で閉断面構造に構成されている。前壁５６は、前端側が後端側よりも下方に位置するように、全体として前後（水平）方向に対して傾斜されている。
【００２９】
更に、フロア部２２は、左右のロッカ３６とセンター骨格形成部３８とを前後方向の略中央部で架け渡すセンタークロス部６０を有している。センタークロス部６０は、下壁３２と、下壁３２と上下に対向する上壁６２と、前後に対向する前壁６４及び後壁６６とで側断面視で矩形枠状の閉断面構造に構成されている。
【００３０】
以上説明したアンダーボディ１２は、樹脂材料にて構成されている。アンダーボディ１２を構成する樹脂材料としては、例えば炭素繊維、ガラス繊維、アラミド繊維などの強化繊維を含有する繊維強化樹脂が挙げられる。
【００３１】
そして、このアンダーボディ１２（フロア部２２）は、ロアパネル１２Ｌとアッパーパネル１２Ｕとを上下に重ね合わせて接合することで構成されている。具体的には、図３で示すように、ロアパネル１２Ｌは、下壁３２と、外側壁３４と、ダッシュロア部２４の前壁４８と、ロアバック部２６の後壁５４と、前側壁２８の外壁２８Ａと、後側壁３０の外壁３０Ａと、平面視で周縁部から外向きに張り出された下フランジ１２ＬＦとを含んで構成されている。
【００３２】
一方、アッパーパネル１２Ｕは、ロッカ３６の上壁４０及び内側壁４２（骨格形成部）と、センター骨格形成部３８の上壁４４及び一対のセンター側壁４６（骨格形成部）と、ダッシュロア部２４の後壁５０（上下壁５０Ｖ、傾斜壁５０Ｓ）及び上壁５２と、ロアバック部２６の前壁５６及び上壁５８と、センタークロス部６０の上壁６２、前壁６４及び後壁６６と、前側壁２８の内壁２８Ｂと、後側壁３０の内壁３０Ｂと、平面視で周縁部から外向きに張り出された上フランジ１２ＵＦとを含んで構成されている。
【００３３】
なお、上フランジ１２ＵＦは、内側壁４２、センター側壁４６、傾斜壁５０Ｓ（ロッカ３６、センター骨格形成部３８の非形成部）、前壁５６（ロッカ３６、センター骨格形成部３８の非形成部）、前壁６４及び後壁６６の各下端にも形成されている。
【００３４】
したがって、アンダーボディ１２は、ロアパネル１２Ｌとアッパーパネル１２Ｕとが、下フランジ１２ＬＦと上フランジ１２ＵＦとで接着されるとともに、上記各下端に形成された上フランジ１２ＵＦと下壁３２とが接着されることで互いに固着され、上記各閉断面構造を構成するようになっている。そして、前側壁２８は、外壁２８Ａと内壁２８Ｂとで閉断面構造を構成し、後側壁３０は、外壁３０Ａと内壁３０Ｂとで閉断面構造を構成するようになっている。
【００３５】
（サスペンションモジュールの構成）
図１で示すように、フロントサスペンションモジュール１４は、サスペンションメンバ７０と、図示しない左右一対のフロントサスペンションとを少なくとも含んで構成されている。サスペンションメンバ７０は、車幅方向が長手方向とされるとともに、図１の側断面視で閉断面構造とされている。
【００３６】
また、サスペンションメンバ７０には、左右のフロントサスペンションが全体として組み付けられており、サスペンションメンバ７０は、各フロントサスペンションを介して前輪Ｗｆ（図１参照）を転舵可能に支持するようになっている。すなわち、各フロントサスペンションは、自動車Ｖの車体を構成する他の部分に頼ることなく独立して機能するように、サスペンションメンバ７０に支持されている。
【００３７】
一方、リアサスペンションモジュール１８は、サスペンションメンバ７４と、図示しない左右一対のリアサスペンションとを少なくとも含んで構成されている。サスペンションメンバ７４には、左右のリアサスペンションが全体として組み付けられており、サスペンションメンバ７４は、各リアサスペンションを介して後輪Ｗｒを回転可能に支持するようになっている。すなわち、各リアサスペンションは、自動車Ｖの車体を構成する他の部分に頼ることなく独立して機能するように、サスペンションメンバ７４に支持されている。
【００３８】
更に、後輪Ｗｒには、ホイールインモーターが内蔵されている。そして、リアサスペンションモジュール１８には、ホイールインモーターを駆動するための図示しないバッテリー及び制御装置であるＰＣＵ（パワーコントロールユニット）が組み付けられている。したがって、リアサスペンションモジュール１８は、自動車Ｖの駆動ユニットとして捉えることもできる。
【００３９】
そして、図１で示すように、フロントのサスペンションメンバ７０は、ダッシュロア部２４に締結にて固定されるとともに、下壁３２に締結にて固定されている。具体的には、サスペンションメンバ７０は、その本体部７０Ｍが車幅方向の複数箇所でダッシュロア部２４の前壁４８に締結固定されている。そして、その本体部７０Ｍの後下端の角部から後向きに延設されたフランジ７０Ｆが、下壁３２の下面に重ね合わされた状態で、車幅方向の複数箇所で下壁３２（のダッシュロア部２４を構成する部分）に締結固定されている。
【００４０】
また、リアのサスペンションメンバ７４は、ロアバック部２６に締結にて固定されている。具体的には、このサスペンションメンバ７４は、ロアバック部２６の後壁５４に車体後方側へ突出するように一体に形成された傾斜壁５４Ａに、接続プレート７２を介して締結固定されている。
【００４１】
（ＥＡ部材の構成）
図１で示すように、フロントＥＡ部材１６は、サスペンションメンバ７０の車幅方向の長さ（左右のフロントサスペンションの間隔）と略同等の車幅方向に沿った長さを有するボックス形状（略矩形箱状）に形成されている。そして、このフロントＥＡ部材１６は、その後端から張り出されたフランジ１６Ｆにおいて、サスペンションメンバ７０に締結固定されている。
【００４２】
図１、図２で示すように、リアＥＡ部材２０は、サスペンションメンバ７４の車幅方向の長さ（左右のリアサスペンションの間隔）と略同等の車幅方向に沿った長さを有するボックス形状（略矩形箱状）に形成されている。そして、このリアＥＡ部材２０は、その車幅方向両端から張り出されたフランジ２０Ｆにおいて、サスペンションメンバ７４に締結固定されている。
【００４３】
更に、サイドＥＡ部材６８は、図２、図４で示すように、ロッカ３６の車体前後方向の長さ（前側壁２８と後側壁３０との間の間隔）と略同等の車体前後方向に沿った長さを有するボックス形状（略矩形箱状）に形成されている。そして、このサイドＥＡ部材６８は、その車幅方向内側で、かつ上下方向略中央部に前後方向に延在するように形成されたスリット部６８Ａが、ロッカ３６における上フランジ１２ＵＦ及び下フランジ１２ＬＦに、それらを上下から挟持するように接着されることで、そのロッカ３６に固定されている。
【００４４】
以上説明したフロントＥＡ部材１６、リアＥＡ部材２０、サイドＥＡ部材６８は、樹脂材料にて各部が一体に形成されている。フロントＥＡ部材１６、リアＥＡ部材２０、サイドＥＡ部材６８を構成する樹脂材料としては、例えば炭素繊維、ガラス繊維、アラミド繊維などの強化繊維を含有する繊維強化樹脂が挙げられる。また、フロントＥＡ部材１６、リアＥＡ部材２０、サイドＥＡ部材は、アルミニウムやその合金などの金属材料で構成してもよい。
【００４５】
（センターピラーとフロア部との接合構造）
図４で示すように、この自動車Ｖにおけるセンターピラー７８は、樹脂製とされている。すなわち、このセンターピラー７８は、例えば炭素繊維、ガラス繊維、アラミド繊維などの強化繊維を含有する繊維強化樹脂材料で成形されている。なお、図示しないフロントピラー及びリアピラーも樹脂製とされているが、本実施形態では、センターピラー７８について説明する。
【００４６】
図５で示すように、センターピラー７８は、水平方向に沿った断面で略ハット形状に形成されている。そして、このセンターピラー７８は、連結部材８０によって、アンダーボディ１２のフロア部２２と連結（接合）されている。連結部材８０は、アルミニウムやその合金などの延性の高い金属材料で構成されており、図６、図７で示すように、正面視略「Ｌ」字状に折り曲げられた（略９０°に折り曲げられた曲折部８０Ａを有する）角筒状（閉断面形状）に形成されている。
【００４７】
詳細には、この連結部材８０は、図５で示すように、その上端部側であるピラー締結部８２がセンターピラー７８内に嵌合されるように、その断面外形状がセンターピラー７８の内壁面の形状に沿った平断面視等脚台形状に形成されている。そして、図４〜図６で示すように、ピラー締結部８２の車幅方向に対して傾斜された前壁及び後壁には、それぞれボルト挿通孔８２Ａが形成され、センターピラー７８の車幅方向に対して傾斜された前壁及び後壁にも、それぞれボルト挿通孔７８Ａが形成されている。
【００４８】
したがって、各ボルト挿通孔８２Ａと各ボルト挿通孔７８Ａとを連通させ、連通された各ボルト挿通孔７８Ａ、８２Ａにボルト９４を挿通して、連結部材８０内に設けられたウエルドナット９６に螺合することにより、連結部材８０のピラー締結部８２がセンターピラー７８の下端部側に締結固定される。なお、各ボルト挿通孔７８Ａ、８２Ａは、各前壁及び各後壁に上下に２個ずつ設けられている。
【００４９】
一方、連結部材８０の下端部側であるフロア締結部８４は、フロア部２２のロッカ３６を構成する上壁４０に複数のボルト９４及び高ナット９８によって締結固定されている。詳細には、図７で示すように、ロッカ３６を構成する下壁３２と上壁４０との間には、車幅方向（フロア締結部８４の長手方向）に沿って高ナット９８が配置されており、その高ナット９８は、ボルト９４によって下壁３２に固定されている。
【００５０】
すなわち、上壁４０及び下壁３２には、同軸的にボルト挿通孔４０Ａ、３２Ａが形成されており、高ナット９８の高さは、下壁３２と上壁４０との間の間隔と同一とされている。したがって、下壁３２のボルト挿通孔３２Ａに挿通されたボルト９４が高ナット９８の下部側に螺合されることにより、その高ナット９８が、上壁４０に形成されたボルト挿通孔４０Ａと連通可能な状態で、下壁３２に固定されるようになっている。
【００５１】
そして、図６、図７で示すように、フロア締結部８４には、車幅方向（長手方向）に沿って複数のボルト挿通孔８４Ａが形成されており、フロア締結部８４の内部には、各ボルト挿通孔８４Ａと同軸的に連通する円筒状のカラー部材７６が配置されている。したがって、フロア締結部８４は、ボルト９４が、ボルト挿通孔８４Ａ（カラー部材７６）及びボルト挿通孔４０Ａに挿通されて、高ナット９８の上部側に螺合されることにより、フロア部２２（ロッカ３６）に固定されるようになっている。
【００５２】
なお、カラー部材７６は、連結部材８０内に配置されているだけで、特に固定されていない。また、図６で示すように、フロア締結部８４において、各ボルト挿通孔８４Ａの車幅方向外側に隣接した部位には、ボルト挿通孔８４Ａの内径と同一か、それよりも小さい内径とされた荷重制御孔としての貫通孔８４Ｂが形成されている。これにより、ボルト挿通孔８４Ａと貫通孔８４Ｂとの間を、側面衝突時にボルト９４によって破断可能な脆弱部８６とすることができる構成である。
【００５３】
また、図４、図７で示すように、センターピラー７８の下端部とロッカ３６を構成する下壁３２との間には、サイドＥＡ部材６８を巻き込むようにして（サイドＥＡ部材６８の車幅方向外側を通るようにして）、帯状のテンション部材９０が張設されている（予め決められた張力を有した状態で設けられている）。
【００５４】
このテンション部材９０は、ゴム等の弾性体で構成されており、その上端部は、図５で示すように、センターピラー７８及び連結部材８０にボルト９４及びウエルドナット９６によって締結固定されている。つまり、センターピラー７８及び連結部材８０には、それぞれテンション部材９０を取り付けるためのボルト９４を挿通させるボルト挿通孔７８Ｂ、８２Ｂも形成されている。
【００５５】
そして、テンション部材９０の下端部は、図７で示すように、車幅方向最外側の高ナット９８に螺合されるボルト９４によって下壁３２に締結固定されている。なお、このテンション部材９０の幅は、連結部材８０の幅とほぼ同じ幅に形成されている。その他、図７で示すように、テンション部材９０の車幅方向外側には、車両の外観を構成するアウターパネル８８とドア９２が設けられている。
【００５６】
以上のような構成の樹脂ボディ構造１０において、次にその作用について説明する。
【００５７】
本実施形態に係る樹脂ボディ構造１０が適用された（電気）自動車Ｖは、サスペンションメンバ７４に内蔵されたＰＣＵから後輪Ｗｒのホイールインモーターに電力が供給され、そのホイールインモーターの駆動力により走行する。そして、この自動車Ｖでは、ステアリングホイールの操舵に応じて、フロントサスペンションを介して支持された前輪Ｗｆが転舵される。
【００５８】
この自動車Ｖにおいて、前面衝突が生じると、フロントＥＡ部材１６に衝突荷重が入力される。この衝突荷重によりフロントＥＡ部材１６は圧縮変形され、衝撃エネルギー（動荷重）を吸収しつつ、サスペンションメンバ７０に荷重（支持反力）を伝達する。このとき、フロントＥＡ部材１６に入力された衝突荷重は、サスペンションメンバ７０の広い面（車幅方向に長い壁）で受け止められ、フロントＥＡ部材１６は安定して圧縮変形される。
【００５９】
したがって、フロントＥＡ部材１６による衝突荷重の吸収が効率よく行われる。なお、フロントＥＡ部材１６によって吸収仕切れずに、サスペンションメンバ７０に伝達された衝突荷重は、ダッシュロア部２４を介してフロア部２２に伝達され、そのフロア部２２によって吸収される。
【００６０】
すなわち、傾斜壁５０Ｓの前上端の上下方向の位置は、側面視でフロントＥＡ部材１６の中心線ＣＬの上下方向の位置に略一致している。したがって、フロントＥＡ部材１６からダッシュロア部２４に入力された荷重は、フロア部２２のロッカ３６及びセンター骨格形成部３８に効率よく伝達される。つまり、上記衝突荷重（ダッシュロア部２４を後方に倒す向きのモーメント）は、傾斜壁５０Ｓの軸力として効率よくロッカ３６及びセンター骨格形成部３８に伝達される。
【００６１】
また、この自動車Ｖにおいて、後面衝突が生じると、リアＥＡ部材２０に衝突荷重が入力される。この衝突荷重によりリアＥＡ部材２０は圧縮変形され、衝撃エネルギー（動荷重）を吸収しつつ、サスペンションメンバ７４に荷重（支持反力）を伝達する。このとき、リアＥＡ部材２０に入力された衝突荷重は、サスペンションメンバ７４の広い面（車幅方向に長い壁）で受け止められ、リアＥＡ部材２０は安定して圧縮変形される。
【００６２】
したがって、リアＥＡ部材２０による衝突荷重の吸収が効率よく行われる。なお、リアＥＡ部材２０によって吸収仕切れずに、サスペンションメンバ７４に伝達された衝突荷重は、ロアバック部２６を介してフロア部２２に伝達され、フロア部２２によって吸収される。
【００６３】
更に、この自動車Ｖにおいて、図８で示すように、加害車両１００によって側面衝突が生じると、ドア９２及びアウターパネル８８が車幅方向内側へ押されて移動する。すると、その側面衝突によって入力された衝撃エネルギー（衝突荷重）により、センターピラー７８と共に連結部材８０のピラー締結部８２側、詳細には曲折部８０Ａよりも車体上方側が車幅方向内側へ向かって塑性変形する。
【００６４】
ここで、この連結部材８０は、樹脂製のセンターピラー７８及び樹脂製のフロア部２２よりも延性の高い金属製とされている。したがって、その側面衝突時の衝突荷重を、連結部材８０の塑性変形によって、ある程度吸収（緩和）することができる。つまり、これにより、センターピラー７８とフロア部２２との接合部分（連結部材８０）の耐荷重強度を確保することができる。よって、センターピラー７８及びフロア部２２の破断（割れ）を防止することができる。
【００６５】
また、この連結部材８０の変形に伴い、テンション部材９０の上端部側が車幅方向内側へ移動する。すると、サイドＥＡ部材６８は、ロッカ３６の車幅方向外側端面に支持（固定）されているため、そのテンション部材９０は、サイドＥＡ部材６８を潰しつつ（圧縮変形しつつ）移動する。したがって、テンション部材９０が設けられていない構成に比べて、サイドＥＡ部材６８による衝突荷重の吸収が効率よく行われる。
【００６６】
また、テンション部材９０の上端部側が車幅方向内側へ移動すると、センターピラー７８がテンション部材９０の弾性復元力によって車幅方向外側に向けて引っ張られる。したがって、センターピラー７８の車幅方向内側への移動（連結部材８０のピラー締結部８２側の曲折部８０Ａを支点とした曲げ変形）を抑制することができ、車室の変形を抑制することができる。
【００６７】
また、連結部材８０の塑性変形及びサイドＥＡ部材６８の圧縮変形で吸収仕切れない衝突荷重が入力されたときには、連結部材８０が更に車幅方向内側へ押圧される。すると、図９で示すように、カラー部材７６は連結部材８０に固定されていないことから、脆弱部８６がボルト９４に相対的に車幅方向外側へ押圧されることで破断され、連結部材８０のフロア締結部８４が車幅方向内側へ（ボルト９４が貫通孔８４Ｂ内に配置されるまで）スライドする（並進する）。
【００６８】
したがって、更に衝突荷重を吸収（緩和）することができる。つまり、これによれば、センターピラー７８とフロア部２２との接合部分（連結部材８０）の耐荷重強度をより一層確保することができ、センターピラー７８及びフロア部２２の破断（割れ）をより一層防止することができる。
【００６９】
なお、以上のような構成でも吸収仕切れなかった衝突荷重は、ロッカ３６（フロア部２２）に伝達されて吸収される。したがって、側面衝突時におけるアンダーボディ１２の変形を抑制又は防止することができる。すなわち、側面衝突時における車室の変形を抑制又は防止することができる。
【００７０】
また、このように、アンダーボディ１２が樹脂製とされても、上記の通り、センターピラー７８とフロア部２２との接合部分である連結部材８０を、側面衝突時のエネルギー吸収部材として機能させることができる。したがって、自動車Ｖの軽量化を達成することができる。
【００７１】
以上、本実施形態に係る車体構造（樹脂ボディ構造１０）について、図面を基に説明したが、本実施形態に係る車体構造は、図示のものに限定されるものではなく、本発明の要旨を逸脱しない範囲内において、適宜設計変更可能なものである。例えば、アッパーパネル１２Ｕとロアパネル１２Ｌとは、融着や溶着によって接合されてもよい。また、連結部材８０のピラー締結部８２は、接着剤によってセンターピラー７８に接合される構成であってもよい。
【図１】
2013080340.tif 000003
【図２】
2013080340.tif 000004
【図３】
2013080340.tif 000005
【図４】
2013080340.tif 000006
【図５】
2013080340.tif 000007
【図６】
2013080340.tif 000008
【図７】
2013080340.tif 000009
【図８】
2013080340.tif 000010
【図９】
2013080340.tif 000011
【手続補正書】
【提出日】平成25年2月12日(2013.2.12)
【手続補正１】
【補正対象書類名】特許請求の範囲
【補正対象項目名】全文
【補正方法】変更
【補正の内容】
【特許請求の範囲】
【請求項１】
車体下方側に配置された樹脂製のフロアと、
前記フロアの車幅方向外側で車体上下方向に延在するように配置された樹脂製のピラーと、
前記ピラー及び前記フロアよりも延性の高い材料で構成され、前記ピラーと前記フロアとを連結する正面視略「Ｌ」字状の連結部材と、
を有する車体構造。
【請求項２】
前記連結部材は、金属材料で構成されている請求項１に記載の車体構造。
【請求項３】
前記連結部材の車幅方向外側で、前記ピラーと前記フロアとの間に張設されたテンション部材を有する請求項１又は請求項２に記載の車体構造。
【請求項４】
前記連結部材の下端部側は、車幅方向内側へ延在されて前記フロアにボルト締結されるフロア締結部とされており、
前記フロア締結部は、車幅方向外側から荷重が入力されて車幅方向内側へ押圧されたときに、ボルトによって破断される脆弱部を有する請求項１〜請求項３の何れか１項に記載の車体構造。
【請求項５】
前記脆弱部は、ボルト挿通孔と該ボルト挿通孔の車幅方向外側に形成された貫通孔との間とされている請求項４に記載の車体構造。
【手続補正３】
【補正対象書類名】明細書
【補正対象項目名】０００１
【補正方法】変更
【補正の内容】
【０００１】
技術分野
［０００１］
本発明は、車体構造に関する。
背景技術
［０００２］
車体を、各ピラーの中間から上側（ルーフを含む）の車体上部体と下側（フロアを含む）の車体下部体とに２分割し、車体上部体を樹脂材料で構成するとともに、車体下部体を金属材料で構成した車両の車体構造は、従来から知られている（例えば、特開２０１１−８８４９５号公報参照）。
発明の概要
発明が解決しようとする課題
［０００３］
このような車体構造において、更なる車両の軽量化を図るためには、車体下部体も樹脂材料で構成することが考えられる。しかしながら、この場合には、側面衝突時等、車幅方向外側から加えられる荷重に対して、車体上部体と車体下部体との接合部分における耐荷重強度を確保することが課題となる。
［０００４］
そこで、本発明は、上記事情に鑑み、樹脂製ピラーと樹脂製フロアとの接合部分の耐荷重強度を確保できる車体構造を得ることを目的とする。
課題を解決するための手段
［０００５］
上記の目的を達成するために、本発明に係る第１の態様の車体構造は、車体下方側に配置された樹脂製のフロアと、前記フロアの車幅方向外側で車体上下方向に延在するように配置された樹脂製のピラーと、前記ピラー及び前記フロアよりも延性の高い材料で構成され、前記ピラーと前記フロアとを連結する正面視略「Ｌ」字状の連結部材と、を有する。
［０００６］
第１の態様によれば、樹脂製ピラーと樹脂製フロアとを連結する連結部材は、樹脂製ピラー及び樹脂製フロアよりも延性の高い材料で構成されている。したがって、側面衝突時など、車幅方向外側から荷重が入力されると、そ
【手続補正書】
【提出日】平成26年3月7日(2014.3.7)
【手続補正１】
【補正対象書類名】特許請求の範囲
【補正対象項目名】全文
【補正方法】変更
【補正の内容】
【特許請求の範囲】
【請求項１】
車体下方側に配置された樹脂製のフロアと、
前記フロアの車幅方向外側で車体上下方向に延在するように配置された樹脂製のピラーと、
前記ピラー及び前記フロアよりも延性の高い材料で構成され、前記ピラーと前記フロアとを連結する連結部材と、
前記連結部材の車幅方向外側で、前記ピラーと前記フロアとの間に張設されたテンション部材と、
を有する車体構造。
【請求項２】
前記連結部材は、金属材料で構成されている請求項１に記載の車体構造。
【請求項３】
前記連結部材の下端部側は、車幅方向内側へ延在されて前記フロアにボルト締結されるフロア締結部とされており、
前記フロア締結部は、車幅方向外側から荷重が入力されて車幅方向内側へ押圧されたときに、ボルトによって破断される脆弱部を有する請求項１または請求項２に記載の車体構造。
【請求項４】
前記脆弱部は、ボルト挿通孔と該ボルト挿通孔の車幅方向外側に形成された貫通孔との間とされている請求項３に記載の車体構造。
【手続補正２】
【補正対象書類名】明細書
【補正対象項目名】０００５
【補正方法】変更
【補正の内容】
【０００５】
上記の目的を達成するために、本発明に係る第１の態様の車体構造は、車体下方側に配置された樹脂製のフロアと、前記フロアの車幅方向外側で車体上下方向に延在するように配置された樹脂製のピラーと、前記ピラー及び前記フロアよりも延性の高い材料で構成され、前記ピラーと前記フロアとを連結する連結部材と、前記連結部材の車幅方向外側で、前記ピラーと前記フロアとの間に張設されたテンション部材と、を有する。
【手続補正３】
【補正対象書類名】明細書
【補正対象項目名】０００６
【補正方法】変更
【補正の内容】
【０００６】
第１の態様によれば、樹脂製ピラーと樹脂製フロアとを連結する連結部材は、樹脂製ピラー及び樹脂製フロアよりも延性の高い材料で構成されている。したがって、側面衝突時など、車幅方向外側から荷重が入力されると、その連結部材によって、エネルギー吸収がなされ、樹脂製ピラーと樹脂製フロアとの接合部分の破損が抑制又は防止される。つまり、これによれば、樹脂製ピラーと樹脂製フロアとの接合部分（連結部材）の耐荷重強度を確保することができる。
また、第１の態様によれば、連結部材の車幅方向外側におけるピラーとフロアとの間に、テンション部材が張設されているので、そのテンション部材により、ピラーの車幅方向内側への変形を抑制することができる。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
また、本発明に係る第３の態様の車体構造は、第１又は第２の態様の車体構造であって、前記連結部材の下端部側は、車幅方向内側へ延在されて前記フロアにボルト締結されるフロア締結部とされており、前記フロア締結部は、車幅方向外側から荷重が入力されて車幅方向内側へ押圧されたときに、ボルトによって破断される脆弱部を有する。
【手続補正７】
【補正対象書類名】明細書
【補正対象項目名】００１２
【補正方法】変更
【補正の内容】
【００１２】
第３の態様によれば、車幅方向外側から荷重が入力されてフロア締結部が車幅方向内側へ押圧されると、ボルトによって脆弱部が破断され、そのフロア締結部が車幅方向内側へスライドする。したがって、車幅方向外側から入力された荷重を効率よく吸収することができる。
【手続補正８】
【補正対象書類名】明細書
【補正対象項目名】００１３
【補正方法】変更
【補正の内容】
【００１３】
また、本発明に係る第４の態様の車体構造は、第３の態様の車体構造であって、前記脆弱部は、ボルト挿通孔と該ボルト挿通孔の車幅方向外側に形成された貫通孔との間とされている。
【手続補正９】
【補正対象書類名】明細書
【補正対象項目名】００１４
【補正方法】変更
【補正の内容】
【００１４】
第４の態様によれば、ボルト挿通孔の車幅方向外側に貫通孔を形成することで、脆弱部を形成することができる。つまり、これによれば、脆弱部を容易に形成することができる。
【国際調査報告】
2013080340.tif 000012
2013080340.tif 000013
2013080340.tif 000014
2013080340.tif 000015